(57)【要約】【課題】  ピストンポンプの吸入弁の組付性を改善すること、並びに、当該吸入弁において良好な組付性を確保しながら良好な保持性を確保すること。【解決手段】  ピストンポンプの吸入弁は、弁孔、弁座部、弁体保持部およびスプリング保持部を有するリテーナ２４と、リテーナ２４に組付けられた弁体およびスプリングを備えている。リテーナ２４の弁体保持部とスプリング保持部は弁座部２４ｂから軸方向に延びる６本の柱状体Ａ１〜Ａ６によって構成され、これらの柱状体Ａ１〜Ａ６は軸中心線Ｌｏを含む仮想平面ＰＬに対して対称形状に二分割されている。二分割された３本の柱状体Ａ１〜Ａ３とＡ４〜Ａ６の各先端部は一体的に結合され、各根元部を結ぶことにより形成される各仮想三角形Ｔｒ１，Ｔｒ２は、仮想平面ＰＬに平行な底辺ａ１，ａ２と、底辺ａ１，ａ２より仮想平面ＰＬから離れていて鈍角の頂点ｂ１，ｂ２を有した二等辺三角形である。【選択図】  図６
2008038797.tif 000002
【特許請求の範囲】
【請求項１】
吸入口（１１ａ）と吐出口（１１ｂ）とを有するとともにこれら吸入口（１１ａ）および吐出口（１１ｂ）に連通する内孔（１１ｃ）を有するポンプハウジング（１０）と、このポンプハウジングの前記内孔（１１ｃ）に組付けられてポンプ室（Ｒｏ）を形成し軸方向に往復動されることにより前記ポンプ室（Ｒｏ）の容積を増減するピストン（２１）と、このピストン（２１）に設けられて前記吸入口（１１ａ）と前記ポンプ室（Ｒｏ）を連通させる流入路に介装され前記ポンプ室（Ｒｏ）の容積増大時に開き容積減少時に閉じる吸入弁（Ｖｓ）と、前記吐出口（１１ｂ）と前記ポンプ室（Ｒｏ）を連通させる流出路に介装され前記ポンプ室（Ｒｏ）の容積減少時に開き容積増大時に閉じる吐出弁（Ｖｄ）とを備えていて、前記ピストン（２１）が軸方向に往復動されて前記ポンプ室（Ｒｏ）の容積が増減されることにより前記吸入口（１１ａ）から前記吐出口（１１ｂ）に向けて液体が流動するように構成されているピストンポンプにおいて、
前記吸入弁（Ｖｓ）は、前記吸入口（１１ａ）に連通する弁孔（２４ａ）と、この弁孔（２４ａ）のポンプ室側端部に形成された弁座部（２４ｂ）と、この弁座部（２４ｂ）に連続して一体成形された弁体保持部（２４ｃ）およびスプリング保持部（２４ｄ）を有して、前記ピストン（２１）に一体的に組付けられるリテーナ（２４）を備えるとともに、このリテーナ（２４）の前記弁体保持部（２４ｃ）に収容保持されて前記弁座部（２４ｂ）に着座・離座可能な弁体（４１）と、前記リテーナ（２４）の前記スプリング保持部（２４ｄ）に収容保持されて前記弁体（４１）を前記弁座部（２４ｂ）に向けて付勢するスプリング（４２）を備えており、
前記リテーナ（２４）の前記弁体保持部（２４ｃ）と前記スプリング保持部（２４ｄ）は前記弁座部（２４ｂ）から軸方向に延びる６本の柱状体（Ａ１〜Ａ６）によって構成されていて、これらの柱状体（Ａ１〜Ａ６）は軸中心線（Ｌｏ）を含む仮想平面（ＰＬ）に対して対称形状に二分割されており、二分割された３本の柱状体（Ａ１〜Ａ３とＡ４〜Ａ６）の各先端部は一体的に結合され、二分割された３本の柱状体（Ａ１〜Ａ３とＡ４〜Ａ６）の各根元部を結ぶことにより形成される各仮想三角形（Ｔｒ１，Ｔｒ２）は、前記仮想平面（ＰＬ）に平行な底辺（ａ１，ａ２）と、この底辺（ａ１，ａ２）より前記仮想平面（ＰＬ）から離れていて鈍角の頂点（ｂ１，ｂ２）を有した二等辺三角形であることを特徴とするピストンポンプ。
【請求項２】
請求項１に記載のピストンポンプにおいて、前記二等辺三角形の底辺端部から軸方向に延びる２本の柱状体（Ａ２，Ａ３とＡ４，Ａ５）は先端部に向かって互いに順次近づくように形成されていることを特徴とするピストンポンプ。
【発明の詳細な説明】
【技術分野】
【０００１】
本発明は、ピストンポンプ、例えば、車両用ブレーキ装置の液圧ポンプとして採用可能なピストンポンプに関する。
【背景技術】
【０００２】
この種のピストンポンプは、例えば、下記の特許文献１に開示されていて、吸入口と吐出口を有するとともにこれら吸入口および吐出口に連通する内孔を有するポンプハウジングと、このポンプハウジングの前記内孔に組付けられてポンプ室を形成し軸方向に往復動されることにより前記ポンプ室の容積を増減するピストンと、このピストンに設けられて前記吸入口と前記ポンプ室を連通させる流入路に介装され前記ポンプ室の容積増大時に開き容積減少時に閉じる吸入弁と、前記吐出口と前記ポンプ室を連通させる流出路に介装され前記ポンプ室の容積減少時に開き容積増大時に閉じる吐出弁とを備えていて、前記ピストンが軸方向に往復動されて前記ポンプ室の容積が増減されることにより前記吸入口から前記吐出口に向けて液体が流動するように構成されている。
【特許文献１】特表２００３−５００６１０号公報
【０００３】
上記した従来のピストンポンプでは、前記吸入弁が、ピストンに設けた弁孔（吸入口に連通している）および弁座部（弁孔のポンプ室側端部に形成されている）と、ピストンに組付けられた筒状のリテーナと、このリテーナ内に組付けられて前記弁座部に着座・離座可能な弁体と、この弁体と前記リテーナ間に介装されて前記弁体を前記弁座部に向けて付勢するスプリングを備えている。
【発明の開示】
【０００４】
かかる従来のピストンポンプでは、ピストンに吸入弁の弁孔および弁座部が形成されているため、ピストンにリテーナ、弁体およびスプリングを組付けなければ、吸入弁を構成することができない。このため、吸入弁をピストンとは独立して構成することができず、当該吸入弁の組付性に改善の余地がある。そこで、本発明は、ピストンとは別個に吸入弁のサブアッセンブリ化を可能として、当該吸入弁の組付性を改善すること、並びに、当該吸入弁において良好な組付性を確保しながら良好な保持性を確保すること（吸入弁の構成部品を、組付けやすく外れ難くすること）を課題としている。
【０００５】
また、本発明は、吸入口と吐出口とを有するとともにこれら吸入口および吐出口に連通する内孔を有するポンプハウジングと、このポンプハウジングの前記内孔に組付けられてポンプ室を形成し軸方向に往復動されることにより前記ポンプ室の容積を増減するピストンと、このピストンに設けられて前記吸入口と前記ポンプ室を連通させる流入路に介装され前記ポンプ室の容積増大時に開き容積減少時に閉じる吸入弁と、前記吐出口と前記ポンプ室を連通させる流出路に介装され前記ポンプ室の容積減少時に開き容積増大時に閉じる吐出弁とを備えていて、前記ピストンが軸方向に往復動されて前記ポンプ室の容積が増減されることにより前記吸入口から前記吐出口に向けて液体が流動するように構成されているピストンポンプにおいて、前記吸入弁は、前記吸入口に連通する弁孔と、この弁孔のポンプ室側端部に形成された弁座部と、この弁座部に連続して一体成形された弁体保持部およびスプリング保持部を有して、前記ピストンに一体的に組付けられるリテーナを備えるとともに、このリテーナの前記弁体保持部に収容保持されて前記弁座部に着座・離座可能な弁体と、前記リテーナの前記スプリング保持部に収容保持されて前記弁体を前記弁座部に向けて付勢するスプリングを備えており、前記リテーナの前記弁体保持部と前記スプリング保持部は前記弁座部から軸方向に延びる６本の柱状体によって構成されていて、これらの柱状体は軸中心線を含む仮想平面に対して対称形状に二分割されており、二分割された３本の柱状体の各先端部は一体的に結合され、二分割された３本の柱状体の各根元部を結ぶことにより形成される各仮想三角形は、前記仮想平面に平行な底辺と、この底辺より前記仮想平面から離れていて鈍角の頂点を有した二等辺三角形であることに特徴がある。
【０００６】
このピストンポンプにおいては、ピストンに一体的に組付けられるリテーナが吸入弁の弁孔と弁座部を有するとともに、弁座部に連続して一体成形された弁体保持部およびスプリング保持部を有していて、弁体保持部にて弁座部に着座・離座可能な弁体を収容保持し、スプリング保持部にて弁体を弁座部に向けて付勢するスプリングを収容保持する。このため、リテーナに弁体とスプリングを組付けることで吸入弁をピストンとは別個に構成して、サブアッセンブリ化することが可能であり、当該吸入弁の組付性を改善することが可能である。
【０００７】
また、吸入弁の構成部材であるリテーナにおいて、各先端部が一体的に結合されている３本の柱状体の結合体は、各先端部を一体的に結合されることにより、上述した仮想平面に直交する方向（弁体とスプリングをリテーナの弁体保持部とスプリング保持部に組み込む際に結合体が拡げられる方向）の剛性を上げられるが、３本の柱状体の各根元部を結ぶことにより形成される各仮想三角形が上記した鈍角の頂点を有した二等辺三角形であるため、上述した仮想平面に直交する方向の剛性を上げ過ぎないようにすることが可能である。したがって、弁体およびスプリングのリテーナへの良好な組付性の確保と、リテーナに組付けられた弁体およびスプリングの良好な保持性（組付信頼性）の確保を図ることが可能である。
【０００８】
また、本発明の実施に際して、前記二等辺三角形の底辺端部から軸方向に延びる２本の柱状体は先端部に向かって互いに順次近づくように形成されていることも可能である。この場合には、前記二等辺三角形の底辺端部から軸方向に延びる２本の柱状体が互いに平行である場合に比して、上述した仮想平面に沿った方向（結合体が拡げられる方向に対して直角方向）の剛性を上げることが可能であって、弁体とスプリングをリテーナの弁体保持部とスプリング保持部に組み込む際に、結合体が上述した仮想平面に沿った方向に移動することを抑制し、結合体が拡げられる方向を安定させることが可能であり、弁体およびスプリングのリテーナへの組付性を向上させることが可能である。
【発明を実施するための最良の形態】
【０００９】
以下に、本発明の一実施形態を図面に基づいて説明する。図１は本発明によるピストンポンプを示していて、このピストンポンプでは、ポンプハウジング１０がハウジング本体１１とこのハウジング本体１１に組付けたシリンダ部材１２およびキャップ１３によって構成されている。ハウジング本体１１は、吸入口１１ａおよび吐出口１１ｂを有するとともに、吸入口１１ａおよび吐出口１１ｂに連通する段付内孔１１ｃを有していて、段付内孔１１ｃの小径内孔１１ｃ１内には、ピストン２１、吸入弁Ｖｓおよびピストンリターンスプリング２２が組付けられている。
【００１０】
シリンダ部材１２は、段付内孔１１ｃの大径内孔１１ｃ２内に、キャップ１３および吐出弁Ｖｄとともに組付けられていて、吐出口１１ｂに直接連通し後述するポンプ室Ｒｏに吐出弁Ｖｄを介して連通する環状の吐出室Ｒｄを形成している。また、シリンダ部材１２は、有底筒状に形成されていて、シリンダ穴１２ａを有するとともに、吐出弁Ｖｄの弁孔１２ｂおよび弁座１２ｃを形成した底壁１２ｄを有しており、キャップ１３によって抜け止めされている。キャップ１３は、ハウジング本体１１に液密的に組付けられていて、シリンダ部材１２との当接部には吐出室Ｒｄと吐出弁Ｖｄの吐出側を連通させる連通溝１３ａが形成されている。
【００１１】
ピストン２１は、ハウジング本体１１における段付内孔１１ｃの小径内孔１１ｃ１内に、ゴム製のシールリング２３と樹脂製のリテーナ２４を介して液密的かつ軸方向へ摺動可能に嵌合されていて、段付内孔１１ｃの小径内孔１１ｃ１とシリンダ穴１２ａにポンプ室Ｒｏを形成し、段付内孔１１ｃの小径内孔１１ｃ１に、吸入口１１ａに直接連通しポンプ室Ｒｏに吸入弁Ｖｓを介して連通する環状の吸入室Ｒｓを形成している。また、ピストン２１は、図１の左端にて電気モータ（図示省略）によって回転駆動される偏心体３１の外周面に摺動可能に係合している。このピストン２１は、偏心体３１の回転により、ピストンリターンスプリング２２の付勢力に抗して軸方向に往動されたときポンプ室Ｒｏの容積を減少させ、ピストンリターンスプリング２２の付勢力によって軸方向に復動されたときポンプ室Ｒｏの容積を増大させるように構成されている。
【００１２】
また、ピストン２１には、軸方向に延びる連通孔２１ａが形成されるとともに、径方向に延びる連通孔２１ｂが形成されていて、連通孔２１ｂに対応して環状溝２１ｃが形成されている。軸方向の連通孔２１ａは、吸入弁Ｖｓのリテーナ２４に形成した弁孔２４ａに連通している。径方向の連通孔２１ｂは、ピストン２１の中間部位に形成されていて、中間部にて連通孔２１ａの一端部に連通し、両端にて環状溝２１ｃに連通している。環状溝２１ｃは、吸入室Ｒｓに連通している。
【００１３】
ピストンリターンスプリング２２は、圧縮コイルスプリングであり、シリンダ部材１２とピストン２１に組付けたリテーナ２４との間に所定の予備荷重を付与して介装されていて、ピストン２１およびリテーナ２４等を偏心体３１に向けて付勢している。
【００１４】
吸入弁Ｖｓは、ピストン２１のポンプ室側端部に液密的かつ一体的に組付けられていて、吸入口１１ａとポンプ室Ｒｏを連通させる流入路に介装されている。また、吸入弁Ｖｓは、リテーナ２４に形成した弁座部２４ｂに着座・離座するボール弁体４１と、リテーナ２４とボール弁体４１間に介装されてボール弁体４１を弁座部２４ｂに向けて小荷重にて付勢するスプリング４２を備えており、ポンプ室Ｒｏの容積増大時に開き容積減少時に閉じるように構成されている。
【００１５】
リテーナ２４は、ピストン２１に組付けられてピストン２１とにより段付内孔１１ｃの小径内孔１１ｃ１にポンプＲｏを形成する環状のシール部材としての機構を有するとともに、吸入弁Ｖｓの一構成部材としての機能を有している。また、リテーナ２４は、吸入口１１ａに連通する弁孔２４ａと、この弁孔２４ａのポンプ室側端部に形成された弁座部２４ｂと、この弁座部２４ｂに連続して一体成形された弁体保持部２４ｃおよびスプリング保持部２４ｄを有するとともに、環状のシールリップ２４ｅと環状の受承部２４ｆを有していて、図１の左端円筒部２４ｇにてピストン２１の連通孔２１ａに液密的かつ一体的に嵌合固定されている。
【００１６】
弁体保持部２４ｃおよびスプリング保持部２４ｄは、図２〜図６に示したように、６本の柱状体Ａ１〜Ａ６で構成されていて、各柱状体Ａ１〜Ａ６の図１左端部が弁体保持部２４ｃとして機能し、各柱状体Ａ１〜Ａ６の図１右端部がスプリング保持部２４ｄとして機能する。スプリング保持部２４ｄとして機能する各柱状体Ａ１〜Ａ６の図１右端部には、スプリング４２の一端部と係合して同スプリング４２のリテーナ２４からの抜け（脱落）を規制する掛け止め部（テーパ部）２４ｄ１が形成されている。また、各柱状体Ａ１〜Ａ６の図１右端内周、すなわち、リテーナ２４のポンプ室側端部内周には、ポンプ室側を大径とするテーパ状部２４ｈが形成されている。
【００１７】
環状のシールリップ２４ｅは、リテーナ２４の外周に一体的に形成されていて、ポンプ室Ｒｏからピストン２１の外周に向けた液体の流動を規制する形状に形成されている。環状の受承部２４ｆは、シールリップ２４ｅよりポンプ室側にて、リテーナ２４の外周に一体的に形成されていて、ピストン２１を復帰動させるピストンリターンスプリング２２を受承可能である。
【００１８】
ボール弁体４１は、リテーナ２４に予め図１の右方から組付けられていて、リテーナ２４の弁体保持部２４ｃに収容保持されており、弁座部２４ｂに着座・離座可能である。スプリング４２は、リテーナ２４にボール弁体４１とともに（またはボール弁体４１が組付けられた後に）図１の右方から組付けられていて、リテーナ２４のスプリング保持部２４ｄに収容保持されており、ボール弁体４１を弁座部２４ｂに向けて小荷重にて付勢している。
【００１９】
吐出弁Ｖｄは、図１に示したように、シリンダ部材１２の吐出側端部すなわちポンプ室Ｒｏの吐出側に設けられていて、吐出口１１ｂとポンプ室Ｒｏを連通させる流出路に介装されている。また、吐出弁Ｖｄは、シリンダ部材１２の底壁１２ｄに形成した弁座１２ｃに着座・離座するボール弁体５１と、このボール弁体５１とキャップ１３間に介装されてボール弁体５１を弁座１２ｃに向けて小荷重にて付勢するスプリング５２を備えており、ポンプ室Ｒｏの容積増大時に閉じ容積減少時に開くように構成されている。
【００２０】
上記のように構成したこの実施形態のピストンポンプにおいては、電気モータ（図示省略）によって偏心体３１が回転駆動されることに伴う偏心体３１とピストンリターンスプリング２２の協同作用より、ピストン２１が軸方向に往復動されて、ポンプ室Ｒｏの容積が増減され、また吸入弁Ｖｓと吐出弁Ｖｄがそれぞれ機能して、吸入口１１ａから吐出口１１ｂに向けて液体が流動する。
【００２１】
ところで、この実施形態のピストンポンプにおいては、ピストン２１に一体的に組付けられるリテーナ２４が吸入弁Ｖｓの弁孔２４ａと弁座部２４ｂを有するとともに、弁座部２４ｂに連続して一体成形された弁体保持部２４ｃおよびスプリング保持部２４ｄを有していて、弁体保持部２４ｃにて弁座部２４ｂに着座・離座可能なボール弁体４１を収容保持し、スプリング保持部２４ｄにてボール弁体４１を弁座部２４ｂに向けて付勢するスプリング４２を収容保持している。このため、リテーナ２４にボール弁体４１とスプリング４２を組付けることで、吸入弁Ｖｓをピストン２１とは別個に構成して、サブアッセンブリ化することが可能であり、当該吸入弁Ｖｓの組付性を改善することが可能である。
【００２２】
また、この実施形態のピストンポンプにおいては、ボール弁体４１とスプリング４２のリテーナ２４への組付が、ボール弁体４１とスプリング４２の図１左端部をリテーナ２４のテーパ状部２４ｈに当接させた状態にて、ボール弁体４１とスプリング４２を図１左方へ押動して各柱状体Ａ１〜Ａ６間に押し込むことにより行われる。このときには、リテーナ２４のテーパ状部２４ｈがボール弁体４１とスプリング４２の各柱状体Ａ１〜Ａ６間への組付をガイドするとともに、各柱状体Ａ１〜Ａ６の図１右端部が径外方に押し開かれるように弾性変形して拡開する。このため、リテーナ２４へのボール弁体４１およびスプリング４２の組付性（挿入性）を向上させることが可能である。
【００２３】
また、この実施形態のピストンポンプにおいては、リテーナ２４の弁体保持部２４ｃとスプリング保持部２４ｄが弁座部２４ｂから軸方向に延びる６本の柱状体Ａ１〜Ａ６によって構成されていて、各柱状体Ａ１〜Ａ６の先端部にはスプリング４２の一端部と係合して同スプリング４２のリテーナ２４からの抜けを規制する掛け止め部（テーパ部）２４ｄ１が形成されている。このため、リテーナ２４を樹脂でモールド成形する場合の成形性や成形型からリテーナ２４を取り外す際の作業性を良好とすることが可能である。
【００２４】
また、この実施形態のピストンポンプにおいては、リテーナ２４の外周に、ポンプ室Ｒｏからピストン２１の外周に向けた液体の流動を規制する環状のシールリップ２４ｅが一体的に形成されている。このため、吸入弁Ｖｓを含む当該ピストンポンプでの部品点数の低減を図ることが可能である。また、リテーナ２４の外周には、シールリップ２４ｅよりポンプ室側に、ピストン２１を復帰動させるピストンリターンスプリング２２の受承部２４ｆが一体的に形成されている。このため、ピストンリターンスプリング２２のシールリップ２４ｅへの干渉を防止して、シールリップ２４ｅの機能を保証することが可能である。
【００２５】
また、この実施形態のピストンポンプにおいては、リテーナ２４の弁体保持部２４ｃとスプリング保持部２４ｄが弁座部２４ｂから軸方向に延びる６本の柱状体Ａ１〜Ａ６によって構成されていて、これらの柱状体Ａ１〜Ａ６は図６に示したように軸中心線Ｌｏを含む仮想平面ＰＬに対して対称形状に二分割されており、二分割された３本の柱状体Ａ１〜Ａ３とＡ４〜Ａ６の各先端部は一体的に結合されて結合体Ａａ，Ａｂとされている。
【００２６】
また、二分割された３本の柱状体Ａ１〜Ａ３とＡ４〜Ａ６の各根元部を結ぶことにより形成される各仮想三角形Ｔｒ１とＴｒ２は、仮想平面ＰＬに平行な底辺ａ１，ａ２と、この底辺ａ１，ａ２より仮想平面ＰＬから離れていて鈍角の頂点ｂ１，ｂ２を有した二等辺三角形となるように設定されている。なお、各頂点ｂ１，ｂ２から軸方向に延びる柱状体Ａ１とＡ６は先端部に向かって仮想平面ＰＬに近づくように形成されている。
【００２７】
各結合体Ａａ，Ａｂは、３本の柱状体Ａ１〜Ａ３とＡ４〜Ａ６の各先端部を一体的に結合されることにより、仮想平面ＰＬに直交する方向（ボール弁体４１とスプリング４２をリテーナ２４の弁体保持部２４ｃとスプリング保持部２４ｄに組み込む際に結合体Ａａ，Ａｂが拡げられる方向）の剛性を上げられるが、３本の柱状体Ａ１〜Ａ３とＡ４〜Ａ６の各根元部を結ぶことにより形成される各仮想三角形Ｔｒ１，Ｔｒ２が上記した鈍角の頂点ｂ１，ｂ２を有した二等辺三角形であるため、仮想平面ＰＬに直交する方向の剛性を上げ過ぎないようにすることが可能である。したがって、ボール弁体４１およびスプリング４２のリテーナ２４への良好な組付性の確保と、リテーナ２４に組付けられたボール弁体４１およびスプリング４２の良好な保持性（組付信頼性）の確保を図ることが可能である。
【００２８】
また、この実施形態のピストンポンプにおいては、上述した二等辺三角形の底辺ａ１とａ２から軸方向に延びる２本の柱状体Ａ２，Ａ３とＡ４，Ａ５は先端部に向かって互いに順次近づくように形成されている。このため、２本の柱状体Ａ２，Ａ３とＡ４，Ａ５が互いに平行である場合に比して、仮想平面ＰＬに沿った方向（結合体Ａａ，Ａｂが拡げられる方向に対して直角方向）の剛性を上げることが可能であって、ボール弁体４１とスプリング４２をリテーナ２４の弁体保持部２４ｃとスプリング保持部２４ｄに組み込む際に、結合体Ａａ，Ａｂが仮想平面ＰＬに沿った方向に移動することを抑制し、結合体Ａａ，Ａｂが拡げられる方向を安定させることが可能であり、ボール弁体４１およびスプリング４２のリテーナ２４への組付性を向上させることが可能である。
【００２９】
上記した実施形態においては、図２からも明らかなように、２本の柱状体Ａ２，Ａ３とＡ４，Ａ５の中心線を含む面が仮想平面ＰＬと平行となるように設定したが、２本の柱状体Ａ２，Ａ３とＡ４，Ａ５の中心線を含む面が、２本の柱状体Ａ２，Ａ３とＡ４，Ａ５の先端部に向かって、仮想平面ＰＬに近づくように設定して実施することも可能である。
【００３０】
また、上記した実施形態においては、当該ピストンポンプが一般的なピストンポンプである実施形態について説明したが、当該ピストンポンプが自吸式ポンプである場合にも同様に実施することが可能である。
【図面の簡単な説明】
【００３１】
【図１】本発明によるピストンポンプの一実施形態を示す断面図である。
【図２】図１に示した吸入弁をポンプ室側から見た拡大外観図である。
【図３】図２に示したリテーナ単体の正面図である。
【図４】図２に示したリテーナ単体の右側面図である。
【図５】図２に示したリテーナ単体の斜視図である。
【図６】図１〜図５に示したリテーナにおける６本の柱状体の構造を概略的に示すスケルトン図である。
【符号の説明】
【００３２】
１０…ポンプハウジング、１１…ハウジング本体、１１ａ…吸入口、１１ｂ…吐出口、１１ｃ…段付内孔、１１ｃ１…小径内孔、１２…シリンダ部材、１３…キャップ、２１…ピストン、２２…ピストンリターンスプリング、２３…シールリング、２４…リテーナ、２４ａ…弁孔、２４ｂ…弁座部、２４ｃ…弁体保持部、２４ｄ…スプリング保持部、２４ｄ１…掛け止め部、２４ｅ…シールリップ、２４ｆ…受承部、２４ｇ…円筒部、２４ｈ…テーパ状部、Ｖｓ…吸入弁、４１…ボール弁体、４２…スプリング、Ｖｄ…吐出弁、５１…ボール弁体、５２…スプリング、Ｒｏ…ポンプ室、Ａ１〜Ａ６…柱状体、Ｌｏ…軸中心線、ＰＬ…仮想平面、Ｔｒ１，Ｔｒ２…仮想三角形、ａ１，ａ２…底辺、ｂ１，ｂ２…鈍角の頂点
【図１】
2008038797.tif 000003
【図２】
2008038797.tif 000004
【図３】
2008038797.tif 000005
【図４】
2008038797.tif 000006
【図５】
2008038797.tif 000007
【図６】
2008038797.tif 000008